(57)【特許請求の範囲】
【請求項１】
引戸に搭載するローラと、引戸の開閉方向に配設し、前記ローラの軟質の周縁部が当接する固定部材とを備えてなり、前記ローラは、引戸の上端面に設置する水平回転形とし、共通のベース材を介して、引戸の前面側、後面側にそれぞれ偏心する一対を設けるとともに、それぞれ円柱状のコア部の両端に大径、小径の円板状のフランジを一体成形するハブ部材と、前記フランジの間に嵌め込むようにして前記ハブ部材と一体に組み立てる弾性材のリング体とを有し、前記大径のフランジの外周から突出する前記リング体の外側部分が前記周縁部を形成し、前記小径のフランジの中央部に円形の膨出部を形成するとともに前記小径のフランジを下側にして前記ベース材の上面に装着し、引戸を開閉すると、前記周縁部が連続的に弾性変形しながら回転し、引戸に開閉抵抗を付与することを特徴とする引戸用の開閉抵抗付与装置。
【請求項２】
前記各フランジの外周は、内向きの滑らかな円弧状に形成することを特徴とする請求項１記載の引戸用の開閉抵抗付与装置。
【請求項３】
前記ベース材は、引戸の上端部のフレーム材の上面に固定することを特徴とする請求項１または請求項２記載の引戸用の開閉抵抗付与装置。
【請求項４】
前記固定部材は、上枠材に形成する引戸用のガイド溝の側壁面とすることを特徴とする請求項１ないし請求項３のいずれか記載の引戸用の開閉抵抗付与装置。
【発明の詳細な説明】
【技術分野】
【０００１】
この発明は、引戸（引違戸を含む。以下同じ）に対し、開閉操作時に適度の開閉抵抗を与えるための引戸用の開閉抵抗付与装置に関する。
【背景技術】
【０００２】
建築物の開口部等を開閉する引戸は、動きが滑らか過ぎると、全閉時または全開時に戸当りに当って跳ね返ったり、僅かな傾きにより開放側または閉鎖側に移動したりして、使用者の安全性や操作性を損うことがある。そこで、引戸の開閉時に適当な開閉抵抗を実現するために、引戸用の戸車に制動用のローラを組み込むことが提案されている（特許文献１）。
【０００３】
従来の戸車の制動用のローラは、戸車の走行用のローラの外周に接しながら回転し、走行用のローラの回転速度が過大になると、走行用のローラの回転方向に移動して固定のストッパピンに併せて摺接し、走行用のローラに制動力を加えることができる。
【先行技術文献】
【特許文献】
【０００４】
【特許文献１】特開２０１４−１５２４６１号公報
【発明の概要】
【発明が解決しようとする課題】
【０００５】
かかる従来技術によるときは、戸車内の制動用のローラは、走行用のローラの外周に接しながら回転し、走行用のローラの回転速度の上昇によって走行用のローラの周方向に移動するから、各ローラの表面状態の変化により動作特性が変動し易く、長期に亘って安定な動作を実現することが容易でないという問題があった。また、走行用のローラは、その回転速度が大きくならない限り制動力を受けることがなく、引戸を安定に停止させておくことができないという問題もあった。
【０００６】
そこで、この発明の目的は、かかる従来技術の問題に鑑み、引戸に搭載するローラと、固定部材とを組み合わせることによって、引戸に対して常時制動力を与えるとともに、必要十分な動作安定性を容易に実現することができる引戸用の開閉抵抗付与装置を提供することにある。
【課題を解決するための手段】
【０００７】
かかる目的を達成するためのこの発明の構成は、引戸に搭載するローラと、引戸の開閉方向に配設し、ローラの軟質の周縁部が当接する固定部材とを備えてなり、ローラは、引戸の上端面に設置する水平回転形とし、共通のベース材を介して、引戸の前面側、後面側にそれぞれ偏心する一対を設けるとともに、それぞれ円柱状のコア部の両端に大径、小径の円板状のフランジを一体成形するハブ部材と、フランジの間に嵌め込むようにしてハブ部材と一体に組み立てる弾性材のリング体とを有し、大径のフランジの外周から突出するリング体の外側部分が周縁部を形成し、小径のフランジの中央部に円形の膨出部を形成するとともに小径のフランジを下側にしてベース材の上面に装着し、引戸を開閉すると、周縁部が連続的に弾性変形しながら回転し、引戸に開閉抵抗を付与することをその要旨とする。
【０００８】
なお、各フランジの外周は、内向きの滑らかな円弧状に形成することができる。
【０００９】
また、ベース材は、引戸の上端部のフレーム材の上面に固定してもよい。
【００１０】
さらに、固定部材は、上枠材に形成する引戸用のガイド溝の側壁面としてもよい。
【発明の効果】
【００１１】
かかる発明の構成によるときは、引戸に搭載するローラは、軟質の周縁部が固定部材に当接し、引戸を開閉すると、周縁部が連続的に弾性変形する際の抵抗に起因する開閉抵抗を引戸に付与することができる。そこで、引戸に加えられる開閉抵抗は、基本的にローラの周縁部の硬度に依存し、ローラの表面状態に依存することがなく、長期に亘り実質的に一定に維持されるため、高い動作安定性を実現することができる。ただし、固定部材は、引戸の開閉方向に、引戸と平行に配設するものとする。なお、ローラは、引戸の停止時にも周縁部が部分的に弾性変形しているため、引戸に対して常時制動力を与えることができる。また、引戸の開閉抵抗は、ローラの周縁部の硬度や寸法の他、固定部材との干渉による周縁部の弾性変形量などのパラメータにより適切に設定するものとする。なお、ローラの周縁部の材質は、弾性変形によって生じるハブ部材との間の滑り摩擦に対し、良好な耐摩耗性を有することが望ましい。
【００１２】
引戸の上端面に設置する水平回転形のローラは、たとえば上枠材を利用して形成する固定部材と容易に組み合わせることができる上、組立作業も容易である。
【００１３】
ローラは、引戸の前面側、後面側にそれぞれ偏心する一対を設けることにより、引戸が前後方向に過大に傾いたりする不都合がない。ただし、一対のローラは、それぞれ引戸の前面側、後面側の固定部材に対応させるものとする。
【００１４】
引戸の前面側、後面側に偏心する一対のローラを共通のベース材に組み付ければ、共通のベース材を引戸の厚さ方向の中心線上に固定するだけで、一挙に引戸に搭載することができる。
【００１５】
固定部材は、上枠材に形成する引戸用のガイド溝の側壁面を利用することにより、何ら格別な余分の部材を必要とせず、最も簡単な全体構成を実現することができる。
【図面の簡単な説明】
【００１６】
【図１】引戸の模式構成説明図
【図２】使用状態を示す要部拡大縦断面図
【図３】ローラの構成説明図
【図４】図１（Ｂ）のＸ−Ｘ線矢視相当拡大断面図
【図５】図４のＹ矢視相当要部拡大図
【発明を実施するための形態】
【００１７】
以下、図面を以って発明の実施の形態を説明する。
【００１８】
引戸用の開閉抵抗付与装置は、引戸２０の上端面の戸尻側に搭載する一対の水平回転形のローラ１０、１０を主要部材としてなる（図１）。ただし、図１（Ａ）、（Ｂ）は、それぞれ引戸２０の正面図、上面図である。なお、以下の説明において、図１（Ａ）の左側、右側をそれぞれ戸先側、戸尻側といい、図１（Ｂ）の下側、上側をそれぞれ前面側、後面側という。
【００１９】
引戸２０は、下端の戸先側、戸尻側の戸車２１、２１を介して開閉方向（図１（Ａ）の矢印方向）に移動走行可能である。なお、引戸２０の戸先側には、引手２２が両面に取り付けられ、中央部上方には、ガラス窓２３が開口されている。また、引戸２０の上端面の戸先側には、倒れ止め用のガイドローラ２４が装着されている。
【００２０】
引戸２０は、レール材３１、戸先側、戸尻側の縦枠材３２、３２、上枠材３３を組み合わせる戸枠３０に組み込まれている（図２）。なお、図２の引戸２０は、他の引戸２０と組み合わせることにより、引違戸として構成されている。また、各引戸２０の上端部は、ローラ１０、１０とともに、上枠材３３の下向きのガイド溝３３ａに収納されており、レール材３１は、床面ＦＬとほぼ同レベルに埋設されている。ただし、図２において、縦枠材３２、３２、各引戸２０のローラ１０、１０は、それぞれの一方のみが図示されている。
【００２１】
引戸２０上の各ローラ１０は、ハブ部材１１、弾性材のリング体１２を一体に組み立てて構成されている（図３）。ただし、図３（Ａ）、（Ｂ）は、それぞれローラ１０の分解正面図、中央縦断面図である。
【００２２】
ハブ部材１１は、円柱状のコア部１１ａの両端に大小の円板状のフランジ１１ｂ、１１ｃが形成されている。コア部１１ａの軸心上には、段付きの軸孔１１ｄが貫通しており、小径のフランジ１１ｃの中央部には、薄い円形の膨出部１１ｅが形成されている。なお、軸孔１１ｄの小径部分は、フランジ１１ｃ、膨出部１１ｅの双方を貫通しており、フランジ１１ｂ、１１ｃの外周は、それぞれ内向きに滑らかに丸められている。ハブ部材１１は、たとえば硬質のナイロン（商品名）樹脂により一体成形されている。
【００２３】
リング体１２は、中央に丸孔１２ａを開口する円板状に形成されている。リング体１２の厚さは、ハブ部材１１のフランジ１１ｂ、１１ｃの間隔に適合し、丸孔１２ａの内径は、ハブ部材１１のコア部１１ａに弾発的に嵌合可能に設定されている。リング体１２は、たとえばＪＩＳ  Ｋ  ６２５３のＡ型デュロメータによる硬度５０の軟質ウレタン樹脂により一体成形されている。
【００２４】
リング体１２は、ハブ部材１１に対し、小径のフランジ１１ｃ側からフランジ１１ｂ、１１ｃの間に嵌め込むようにして、ローラ１０として一体に組み立てることができる（図３（Ｂ））。なお、このとき、リング体１２の略外側半部が大径のフランジ１１ｂの外周から突出し、ローラ１０の軟質の周縁部を形成している。
【００２５】
ローラ１０、１０は、それぞれハブ部材１１の軸孔１１ｄに適合する段付きねじ１３、共通のベース材１４を介し、引戸２０の上端部のフレーム材２５の上面に装着されている（図２、図４）。各ローラ１０は、段付きねじ１３を介し、ベース材１４に対して回転自在であり、ベース材１４は、両端の止めねじ１４ａ、１４ａを介してフレーム材２５上にねじ止めされている。なお、図２には、引戸２０のペーパハニカムの芯材２６、前面側、後面側の表面材２７、２７の各一部が模式的に図示されている。
【００２６】
ローラ１０、１０用のベース材１４は、中心線Ｃ1 を引戸２０の厚さ方向の中心線Ｃ2 に一致させて固定されている（図２、図５）。一方、ローラ１０、１０は、ベース材１４の中心線Ｃ1 の左右にそれぞれ偏位量ｄだけ偏心させることにより、引戸２０の前面側、後面側に偏心して装着されている。そこで、各ローラ１０の半径Ｒ、上枠材３３のガイド溝３３ａの側壁面３３ｂ、３３ｂの間隔、すなわちガイド溝３３ａの幅Ｄとして、Ｒ＋ｄ＞Ｄ／２に設定すると、各ローラ１０は、ガイド溝３３ａの側壁面３３ｂに当接して、差分Δ＝Ｒ＋ｄ−Ｄ／２相当だけリング体１２の外周部、すなわち軟質の周縁部を弾性変形させることができる（図５の点線）。ただし、図４において、ローラ１０、１０は、止めねじ１４ａ、１４ａとともに、便宜的にベース材１４の中心線Ｃ1 上にあるように図示されている。
【００２７】
よって、引戸２０を開閉すると、ローラ１０、１０は、ガイド溝３３ａの双方の側壁面３３ｂ、３３ｂに当接して周縁部が連続的に弾性変形しながら回転し、引戸２０に対して適切な実質的に一定の開閉抵抗を付与することができる。なお、引戸２０に付与される開閉抵抗は、リング体１２の硬度や、厚さ、半径方向の幅を含む寸法の他、半径Ｒ、偏位量ｄ、ガイド溝３３ａの幅Ｄによって決まる差分Δなどのパラメータを適宜調節して設定する。
【００２８】
以上の説明において、ローラ１０、１０は、引戸２０の上端面の戸先側に配置してもよく、戸尻側、戸先側の双方に配置してもよい。また、ローラ１０、１０は、引戸２０の上端面の中央部に配置し、戸尻側、戸先側の双方にそれぞれガイドローラ２４を設けてもよい。さらに、ローラ１０、１０は、引戸２０の傾きが過大にならないような適切な方策を併用することにより、１個だけを採用してもよい。なお、ローラ１０は、水平回転形に代えて、垂直回転形としてガイド溝３３ａの天面に当接させてもよく、引戸２０の下端面に装着してレール材３１に当接させてもよい。ただし、ローラ１０を当接させるガイド溝３３ａの側壁面３３ｂや天面、レール材３１は、ローラ１０に対応する固定部材を形成する。そこで、この場合の固定部材は、引戸２０の開閉方向に引戸２０と平行に配設する長尺材であって、ローラ１０の周縁部を連続的に弾性変形させることができる限り、上枠材３３やレール材３１と別の部材としてもよい。すなわち、引戸２０に対するローラ１０の装着形態と、それに対応する固定部材は、任意に変更可能である。
【産業上の利用可能性】
【００２９】
この発明は、一般住宅用の他、たとえば学校や老人施設などのように苛酷な使用状態になりがちな引戸の用途に対し、広く好適に適用することができる。
【符号の説明】
【００３０】
１０…ローラ
１４…ベース材
２０…引戸
３３…上枠材
３３ａ…ガイド溝
３３ｂ…側壁面
特許出願人      小松ウオール工業株式会社
【図１】
0006567870.tif 000002
【図２】
0006567870.tif 000003
【図３】
0006567870.tif 000004
【図４】
0006567870.tif 000005
【図５】
0006567870.tif 000006